(57)【要約】【課題】本発明は防火性能、耐火性能を必要とする建築、構築物の外壁材、内壁材、屋根材、等として使用でき、かつ軽量で、強度があり、経時的変形のない建築用パネルに関するものである。【解決手段】金属製表面材の裏面に合成樹脂発泡体よりなる芯材を形成し、上下端部に雄雌連結構造を形成した建築用パネルにおいて、金属製表面材の下端部には下端縁を屋内側に屈曲すると共に上方に延長した下縁６と、下縁６と金属製表面材１の下端部分よりなるカバー部７と、下縁６の先端を屋内側に屈曲した最奥縁８と、最奥縁８の先端を下方に垂下した上縁９と、下縁６と最奥縁８と上縁９とからなる係合溝１０と、上縁９の先端を屋内側に屈曲した当接縁１１とから形成した表雄部１ａを形成し、上縁９の裏面部分にクッション材Ｂを形成した建築用パネルＡである。【選択図】図１
2020197027.tif 000002
【特許請求の範囲】
【請求項１】
金属製表面材の裏面に合成樹脂発泡体よりなる芯材を形成し、上下端部に雄雌連結構造を形成した建築用パネルにおいて、金属製表面材の下端部には下端縁を屋内側に屈曲すると共に上方に延長した下縁と、下縁と金属製表面材の下端部分よりなるカバー部と、下縁の先端を屋内側に屈曲した最奥縁と、最奥縁の先端を下方に垂下した上縁と、下縁と最奥縁と上縁とからなる係合溝と、上縁の先端を屋内側に屈曲した当接縁とから形成した表雄部を形成し、上縁の裏面部分にクッション材を形成したことを特徴とする建築用パネル。
【発明の詳細な説明】
【技術分野】
【０００１】
本発明は防火性能、耐火性能を必要とする建築、構築物の外壁材、内壁材、屋根材、等として使用でき、かつ軽量で、強度があり、経時的変形のない建築用パネルに関するものである。
【背景技術】
【０００２】
一般に、薄板状の表面材と裏面材にて合成樹脂発泡体からなる芯材をサンドイッチした建築用パネルは数多く発明、考案されて上市されている。（例えば、特許文献１〜４参照）。
【先行技術文献】
【特許文献】
【０００３】
【特許文献１】特開２０００−０９６８０６号公報
【特許文献２】特開２００３−２６１９９６号公報
【特許文献３】特開２００４−１９７３６５号公報
【特許文献４】特開２００９−２６３９１３号公報
【発明の概要】
【発明が解決しようとする課題】
【０００４】
しかしながら特許文献１〜３の薄板状の金属製表面材と裏面材間に合成樹脂発泡体からなる芯材を充填してサンドイッチした建築用パネルにおいては、金属製表面材の化粧面側の覆い片部分が、金属製表面材と芯材の収縮差、充填した芯材の収縮等により経時的に変形し、外観が悪くなると共に、耐火性、施工性上も問題となることがあった。また、特許文献４の耐火パネルは、金属製表面材の化粧面側の覆い片部分に芯材が存在しないものであるが、覆い片の根本部分の金属製表面材が芯材の収縮により凹状に変形してしまうことがあった。
【課題を解決するための手段】
【０００５】
本発明はこのような欠点を解決するために、金属製表面材の裏面に合成樹脂発泡体よりなる芯材を形成し、上下端部に雄雌連結構造を形成した建築用パネルにおいて、金属製表面材の下端部には下端縁を屋内側に屈曲すると共に上方に延長した下縁と、下縁と金属製表面材の下端部分よりなるカバー部と、下縁の先端を屋内側に屈曲した最奥縁と、最奥縁の先端を下方に垂下した上縁と、下縁と最奥縁と上縁とからなる係合溝と、上縁の先端を屋内側に屈曲した当接縁とから形成した表雄部を形成し、上縁の裏面部分にクッション材を形成したことを特徴とする建築用パネルを提供するものである。
【発明の効果】
【０００６】
本発明に係る建築用パネルによれば、上縁の裏面部分にクッション材を形成したために、（１）芯材の熱膨張と金属製表面材の熱膨張差を軽減し、金属製表面材の変形を防止できる。（２）建築用パネルの化粧面の変形を防止し、平坦性を保つことが出来る。（３）カバー部の根本部分が部分的に屋内側に凹状に凹むことがない。（４）カバー部が屋内側、あるいは屋内側に反ることがない。（５）芯材充填後の芯材の収縮による変形を防止出来るために、製造工程の管理が楽に行える。（６）経時的な建築用パネルの変形を防止出来るために、建物のメンテナンス、保守管理のコスト低減が図れる。等の特徴、効果がある。
【図面の簡単な説明】
【０００７】
【図１】本発明に係る建築用パネルの代表的一例を示す断面図である。
【図２】本発明に係る建築用パネルの金属製表面材の代表的一例を示す断面図である。
【図３】本発明に係る建築用パネルの裏面材の代表的一例を示す断面図である。
【図４】本発明に係る建築用パネルの代表的一例を示す部分拡大断面図である。
【図５】本発明に係る建築用パネルの代表的一例を示す部分拡大断面図である。
【図６】本発明に係る建築用パネルの施工状態を示す部分拡大断面図である。
【図７】従来の建築用パネルの例を示す一部切り欠き断面図である。
【図８】本発明に係る建築用パネルのその他の実施例を示す断面図である。
【発明を実施するための形態】
【実施例】
【０００８】
以下に、図面を用いて本発明に係る建築用パネルの実施例について詳細に説明する。図１は建築用パネルＡの代表的一例を示す断面図、図２は金属製表面材を示す断面図、図３は裏面材を示す断面図３、図４は建築用パネルＡの代表的一例を示す部分拡大断面図、図５は施工状態を示す部分拡大断面図であり、金属製表面材１と裏面材２で合成樹脂発泡体からなる芯材３をサンドイッチし、幅方向の上下端部に雄型連結部４と雌型連結部５を形成した長尺状の建築用パネルＡである。なお、αは躯体、βは固定具である。
【０００９】
さらに詳説すると、図２に示すように金属製表面材１は化粧面ａの下端縁に表雄部１ａ、化粧面ａの上端縁に表雌部１ｂを形成したものであり、表雄部１ａは金属製表面材１の下端縁を屋内側に屈曲すると共に上方に延長した下縁６と、下縁６と金属製表面材１の下端部分よりなるカバー部７と、下縁６の先端を屋内側に屈曲した最奥縁８と、最奥縁８の先端を下方に垂下した上縁９と、下縁６と最奥縁８と上縁９とからなる係合溝１０と、上縁９の先端を屋内側に屈曲した当接縁１１と、下縁６とカバー部７内に形成される空間１２とから形成したものである。
【００１０】
表雌部１ｂは金属製表面材１の上端縁を屋内側に屈曲した段差片１３と、段差片１３の先端を上方に突出した固定片１４と、固定片１４の途中を屋内側に窪ませた固定溝１５と、固定片１４の先端を屋内側に屈曲すると共に下方へ垂下した下片１６と、固定片１４と下片１６とから形成した係合片１７と、下片１６の先端を屋内側に突出した当接片１８とから形成したものである。
【００１１】
裏面材２は、図３に示すように下端縁に裏雄部２ａと上端縁に裏雌部２ｂを形成したものであり、裏雄部２ａは裏面材２の下端縁を屋外側に屈曲した下側面１９と、下側面１９の先端を上方に屈曲した内側面２０と、下側面１９と内側面２０とから形成した嵌合面２１と、内側面２０の下端を内方に屈曲した最下面２２とから形成したものである。
【００１２】
裏雌部２ｂは裏面材２の上端縁を屋外側へ屈曲した上側辺２３と、上側辺２３の先端を上方へ屈曲した内側辺２４と、上側辺２３と内側辺２４とから形成した段差２５と、内側辺２４の先端を下方に折り返した外側辺２６とから形成したものである。
【００１３】
また、雄係合片２７は、金属製表面材１の上縁９と当接縁１１と裏面材２の嵌合面２１と芯材３とから形成されたものであり、雌係合溝２８は、金属製表面材１の下片１６と当接片１８と裏面材２の外側辺２６と段差２５４と芯材３とから形成されたものである。なお、図示しないが雄係合片２７と雌係合溝２８の芯材３部分には、芯材３充填時に芯材３が外部に漏れ出さないようにサイドテープを形成するものである。
【００１４】
金属製表面材１、または裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等、（勿論、これらを各種色調に塗装したカラー板、エンボス加工板を含む）の一種をロール成形、プレス成形、押出成形等によって各種形状に成形したものである。また、裏面材２としてはアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものも使用出来るものである。
【００１５】
また、芯材３はポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、金属製表面材１、または裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性、耐火性を向上させることもできる。
【００１６】
Ｐはパッキング材であり、耐火性、防水性、気密性、等の向上のために形成したものである。例えば定型で弾性のあるパッキング材Ｐとしては、例えばポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものである。また、硬化型のパッキング材Ｐ（シーリング材）としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるパッキング材を使用しても良いものである。
【００１７】
Ｂはクッション材であり、芯材３の原料が金属製表面材！の裏面に吐出され、発泡する際に加熱〜硬化する際の過熱膨張により、膨張する際の歪が金属製表面材１の化粧面ａに悪影響を及ぼし、化粧面ａに凹凸等の変形を起こさないように吸収する部分である。なお、条件により異なるが、加熱成型直後から一週間は歪による変形が起こる可能性がある。
【００１８】
従来の建築用パネルＡは図６（ａ）に示すものであり、カバー部７の空間１２に合成樹脂発泡体よりなる芯材３が充填されたものであった。この場合には、図６（ｂ）〜（ｅ）に矢印で示すように芯材３が収縮し、図６（ｂ）に示すように屋外側にカバー部７が反ってしまったり（反り）、図６（ｃ）に点線矢印で示すようにカバー部７の根本部分が部分的に屋内側に凹状に凹んでしまったり（凹み）、図６（ｄ）に点線矢印で示すように（ｂ）図（反り）と（ｃ）図（凹み）を合わせたように凹んだり屋外側に反ったり、図６（ｅ）に点線矢印で示すようにカバー部７が屋内側に反ってしまう（垂れ）ことがあった。また、図示しないがカバー部７内に芯材３が形成されない場合にも同様に変形してしまうことがあった。
【００１９】
これは、金属製表面材１と合成樹脂発泡体からなる芯材３の、製造後に起こる収縮差が原因と考えられる。このことから、図６（ｂ）〜（ｅ）の変形に関しては、上縁９裏面の嵌合面２１部分にクッション材Ｂを形成することにより、変形を防止できるものである。
【００２０】
クッション材Ｂは、プラスチック素材の発泡材料（化学架橋化発泡ポリエチレンシート）からなるが、建築物の防火・耐火性能上、不燃性のものが好ましい。
【００２１】
図８は、本発明に係る建築用パネルのその他の実施例を示す断面図であり、クッション材Ｂを芯材３に食い込むように形成した建築用パネルＡである。
【符号の説明】
【００２２】
α  下地
β  固定具
Ａ  建築用パネル
ａ  化粧面
Ｂ  クッション材
Ｐ  パッキング材
１  金属製表面材
１ａ  表雄部
１ｂ  表雌部
２  裏面材
２ａ  裏雄部
２ｂ  裏雌部
３  芯材
４  雄型連結部
５  雌型連結部
６  下縁
７  カバー部
８  最奥縁
９  上縁
１０  係合溝
１１  当接縁
１２  空間
１３  段差片
１４  固定片
１５  固定溝
１６  下片
１７  係合片
１８  当接片
１９  下側面
２０  内側面
２１  嵌合面
２２  下面
２３  上側辺
２４  内側辺
２５  段差
２６  外側辺
２７  雄係合片
２８  雌係合溝
【図１】
2020197027.tif 000003
【図２】
2020197027.tif 000004
【図３】
2020197027.tif 000005
【図４】
2020197027.tif 000006
【図５】
2020197027.tif 000007
【図６】
2020197027.tif 000008
【図７】
2020197027.tif 000009
【図８】
2020197027.tif 000010